(57)【特許請求の範囲】
【請求項１】
第１の端部及び第２の端部を有するベースと、前記ベースの第１の端部に隣接した第１の取り付け支柱と、前記ベースの第２の端部に隣接した第２の取り付け支柱とを有する第１の安定脚と、
第３の端部及び第４の端部を有するベースと、前記ベースの第３の端部に隣接した第３の取り付け支柱と、前記ベースの第４の端部に隣接した第４の取り付け支柱とを有する第２の安定脚と、
２つ以上のレールのうちの第１のレールが前記第１の安定脚の第１の取り付け支柱及び前記第２の安定脚の第３の取り付け支柱に取り付けられ、且つ、太陽電池モジュールを取り付けるように構成される、２つ以上のレールを有する太陽電池モジュール取り付けフレームワークと、
を備え、
前記第１の取り付け支柱は、前記第３の取り付け支柱に整列し、且つ、前記第２の取り付け支柱は、前記第４の取り付け支柱に対してオフセットしていることを特徴とする、屋上の太陽電池モジュール取り付けシステム。
【請求項２】
前記第１の安定脚に隣接した導風板を備える、請求項１に記載の屋上の太陽電池モジュール取り付けシステム。
【請求項３】
前記導風板は、湾曲したパネルを備える、請求項２に記載の屋上の太陽電池モジュール取り付けシステム。
【請求項４】
前記導風板は、円弧状のパネルを備える、請求項２に記載の屋上の太陽電池モジュール取り付けシステム。
【請求項５】
前記導風板の円弧状のパネルは、約４インチ〜約１０インチの半径を有する、請求項４に記載の屋上の太陽電池モジュール取り付けシステム。
【請求項６】
前記導風板は、アルミニウムからなる、請求項２に記載の屋上の太陽電池モジュール取り付けシステム。
【請求項７】
前記導風板は、鋼からなる、請求項２に記載の屋上の太陽電池モジュール取り付けシステム。
【請求項８】
前記導風板は、トタン板からなる、請求項２に記載の屋上の太陽電池モジュール取り付けシステム。
【請求項９】
前記第１の安定脚は、コンクリートからなる、請求項１に記載の屋上の太陽電池モジュール取り付けシステム。
【請求項１０】
前記第１の安定脚は、フェルール・ループ挿入物を備える、請求項１に記載の屋上の太陽電池モジュール取り付けシステム。
【請求項１１】
前記フェルール・ループ挿入物は、電気的にワイヤボンドされる、請求項１０に記載の屋上の太陽電池モジュール取り付けシステム。
【請求項１２】
前記第１のレールは、
頂面、底面、第１の端部、第２の端部、第１の側縁部、及び第２の側縁部を有する矩形のトッププレートと、
前記トッププレートの第１の側縁部から前記トッププレートに垂直に延在し、前記頂部プレートの底面から離間した第１の終端縁を備えている、第１の側壁と、
前記トッププレートの第２の側縁部から前記トッププレートに垂直に延在し、前記頂部プレートの底面から離間した第２の終端縁を備えている、第２の側壁と、
前記第１の側壁の第１の終端縁から前記第１の側壁に垂直に延在する第１のベースプレートと、
前記第２の側壁の第２の終端縁から前記第２の側壁に垂直に延在する第２のベースプレートと、を備える、請求項１に記載の屋上の太陽電池モジュール取り付けシステム。
【請求項１３】
前記第１のレールは、亜鉛めっき鋼からなる、請求項１に記載の屋上の太陽電池モジュール取り付けシステム。
【請求項１４】
屋上に、隣接する行又は列の安定脚が互いにオフセットを有する互い違いの複数の安定脚を備え、第１の端部及び第２の端部を有するベース、前記ベースの第１の端部に隣接した第１の取り付け支柱、及び前記ベースの第２の端部に隣接した第２の取り付け支柱を有する前記複数の安定脚の第１の安定脚と、第３の端部及び第４の端部を有するベース、前記ベースの第３の端部に隣接した第３の取り付け支柱、及び前記ベースの第４の端部に隣接した第４の取り付け支柱を有する前記複数の安定脚の第２の安定脚と、第１のレールが前記第１の安定脚の第１又は第２の取り付け支柱及び前記第２の安定脚の第３又は第４の取り付け支柱に取り付けられ、且つ、太陽電池モジュールを取り付けるように構成される、２つ以上のレールを有する太陽電池モジュール取り付けフレームワークと、前記第１の安定脚に隣接した導風板と、を備えている、屋上の太陽電池モジュール取り付けシステムと、
前記第１のレールに取り付けられた太陽電池モジュール取り付けブラケットと、
前記太陽電池モジュール取り付けブラケットにより、前記太陽電池モジュール取り付けフレームワークに取り付けられた太陽電池モジュールと、
を備えることを特徴とする、屋上の太陽電池アレイ。
【請求項１５】
前記導風板は、湾曲したパネルを備える、請求項１４に記載の屋上の太陽電池アレイ。
【請求項１６】
前記導風板は、円弧状のパネルを備える、請求項１４に記載の屋上の太陽電池アレイ。
【請求項１７】
前記導風板の円弧状のパネルは、約４インチ〜約１０インチの半径を有する、請求項１４に記載の屋上の太陽電池アレイ。
【請求項１８】
前記導風板は、アルミニウムからなる、請求項１４に記載の屋上の太陽電池アレイ。
【請求項１９】
前記導風板は、鋼からなる、請求項１４に記載の屋上の太陽電池アレイ。
【請求項２０】
前記導風板は、トタン板からなる、請求項１４に記載の屋上の太陽電池アレイ。
【請求項２１】
前記第１の安定脚は、コンクリートからなる、請求項１４に記載の屋上の太陽電池アレイ。
【請求項２２】
前記第１の安定脚は、フェルール・ループ挿入物を備える、請求項１４に記載の屋上の太陽電池アレイ。
【請求項２３】
前記フェルール・ループ挿入物は、電気的にワイヤボンドされる、請求項２２に記載の屋上の太陽電池アレイ。
【請求項２４】
前記モジュールと前記第１の安定脚との間に配置された導管を備える、請求項１４に記載の屋上の太陽電池アレイ。
【請求項２５】
前記第１のレールは、亜鉛めっき鋼からなる、請求項１４に記載の屋上の太陽電池アレイ。
【請求項２６】
前記第１のレールは、
頂面、底面、第１の端部、第２の端部、第１の側縁部、及び第２の側縁部を有する矩形のトッププレートと、
前記トッププレートの第１の側縁部から前記トッププレートに垂直に延在し、前記頂部プレートの底面から離間した第１の終端縁を備えている、第１の側壁と、
前記トッププレートの第２の側縁部から前記トッププレートに垂直に延在し、前記頂部プレートの底面から離間した第２の終端縁を備えている、第２の側壁と、
前記第１の側壁の第１の終端縁から前記第１の側壁に垂直に延在する第１のベースプレートと、
前記第２の側壁の第２の終端縁から前記第２の側壁に垂直に延在する第２のベースプレートと、を備える、請求項１４に記載の屋上の太陽電池アレイ。
【請求項２７】
屋上に太陽電池アレイを据え付ける方法であって、
前記屋上に、第１の端部及び第２の端部を有するベースと、前記ベースの第１の端部に隣接した第１の取り付け支柱と、前記ベースの第２の端部に隣接した第２の取り付け支柱とを有している第１の安定脚を配置するステップと、
前記屋上に、第３の端部及び第４の端部を有するベースと、前記ベースの第３の端部に隣接した第３の取り付け支柱と、前記ベースの第４の端部に隣接した第４の取り付け支柱とを有し、前記第１の安定脚に対してオフセットする第２の安定脚を配置するステップと、
第１のレールが前記第１の安定脚の第１の取り付け支柱及び前記第２の安定脚の第３の取り付け支柱に取り付けられ、且つ、太陽電池モジュールを取り付けるように構成される、２つ以上のレールを前記安定脚に隣接して配置するステップと、
導風板を前記安定脚に隣接して配置するステップと、
２つ以上の太陽電池モジュール・クリップで、２つ以上の太陽電池モジュールを一緒に取り付けるステップと、
１つ以上の太陽電池モジュール取り付けブラケットを用いて前記太陽電池モジュールを前記レールに取り付けるステップと、
前記モジュールと前記第１の安定脚との間に、導管を配置するステップと、
を含むことを特徴とする、屋上への太陽電池アレイの据え付け方法。
【請求項２８】
前記導風板は、湾曲したパネルを備える、請求項２７に記載の方法。
【請求項２９】
前記導風板は、円弧状のパネルを備える、請求項２７に記載の方法。
【請求項３０】
前記導風板の円弧状のパネルは、約４インチ〜約１０インチの半径を有する、請求項２７に記載の方法。
【請求項３１】
前記導風板は、アルミニウムからなる、請求項２７に記載の方法。
【請求項３２】
前記導風板は、鋼からなる、請求項２７に記載の方法。
【請求項３３】
前記導風板は、トタン板からなる、請求項２７に記載の方法。
【請求項３４】
前記第１の安定脚は、コンクリートからなる、請求項２７に記載の方法。
【請求項３５】
前記第１の安定脚は、フェルール・ループ挿入物を備える、請求項２７に記載の方法。
【請求項３６】
前記フェルール・ループ挿入物は、電気的にワイヤボンドされる、請求項３５に記載の方法。
【請求項３７】
前記第１のレールは、
頂面、底面、第１の端部、第２の端部、第１の側縁部、及び第２の側縁部を有する矩形のトッププレートと、
前記トッププレートの第１の側縁部から前記トッププレートに垂直に延在し、前記頂部プレートの底面から離間した第１の終端縁を備えている、第１の側壁と、
前記トッププレートの第２の側縁部から前記トッププレートに垂直に延在し、前記頂部プレートの底面から離間した第２の終端縁を備えている、第２の側壁と、
前記第１の側壁の第１の終端縁から前記第１の側壁に垂直に延在する第１のベースプレートと、
前記第２の側壁の第２の終端縁から前記第２の側壁に垂直に延在する第２のベースプレートと、を備える、請求項２７に記載の方法。
【請求項３８】
前記第１のレールは、亜鉛めっき鋼からなる、請求項２７に記載の方法。
【請求項３９】
屋上に太陽電池アレイを据え付ける方法であって、
前記屋上に、各安定脚が、第１の端部及び第２の端部を有するベース、前記ベースの第１の端部に隣接した第１の取り付け支柱、及び前記ベースの第２の端部に隣接した第２の取り付け支柱を有している、複数の前記安定脚を、隣接する行又は列の前記安定脚が互いにオフセットを有するように、互い違いに配置するステップと、
第１のレールが第１の安定脚の第１又は第２の取り付け支柱及び第２の安定脚の第１又は第２の取り付け支柱に取り付けられ、且つ、太陽電池モジュールを取り付けるように構成される、複数のレールを前記安定脚に隣接して配置するステップと、
２つの隣接しない安定脚に取り付ける複数の導風板を前記安定脚に隣接して配置するステップと、
２つ以上の太陽電池モジュール・クリップで、２つ以上の太陽電池モジュールを一緒に取り付けるステップと、
１つ以上の太陽電池モジュール取り付けブラケットを用いて、前記太陽電池モジュールを前記レールに取り付けるステップと、
前記モジュールと前記第１の安定脚との間に、複数の導管を配置するステップと、
を含むことを特徴とする、屋上への太陽電池アレイの据え付け方法。
【請求項４０】
前記安定脚は、コンクリートからなる、請求項３９に記載の方法。
【請求項４１】
前記導風板は、約４インチ〜約１０インチの半径を有する、円弧状のパネルを備える、請求項３９に記載の方法。
【請求項４２】
前記第１の安定脚に隣接する安定ユニットをさらに備える、請求項１に記載の屋上の太陽電池モジュール取り付けシステム。
【請求項４３】
前記安定ユニットは、追加ブロックを備える、請求項４２に記載の屋上の太陽電池モジュール取り付けシステム。
【発明の詳細な説明】
【技術分野】
【０００１】
本出願は、２００９年３月１１日に出願の米国仮特許出願第６１／１５９２２２号の優先権を主張し、その内容を参照により完全に援用するものとする。
【０００２】
本発明は、屋上の太陽電池モジュール取り付けシステムに関する。
【背景技術】
【０００３】
太陽電池モジュールは、例えば屋根、地上、又は接地パッドのような支持構造物に取り付けられる取り付けフレームワークに取り付けることができる。取り付けフレームワークは、ハードウェア・コネクタ（例えば、ネジ、釘、リベット、溶接、接着剤、又は鑞付接合）を用いて支持構造物に据え付けることができる。取り付けフレームワークの据え付け作業は、時間がかかり、複雑である。従来の方法は、太陽電池アレイの迅速で安全な取り外し、又は再構成が厄介であり、費用がかかっている。
【発明の概要】
【０００４】
太陽電池モジュールは、一般的に、例えば、屋根、地上、又は接地パッドのような支持構造物に取り付けられる取り付けフレームワークに取り付けられる。通常、取り付けフレームワークは、ハードウェア・コネクタ（例えばネジ、釘、リベット、溶接、接着剤、又は鑞付接合）を用いて支持構造物に据え付けられる。取り付けフレームワークの据え付けを、より容易で、より適応性を高くするために、支持構造物へのハードウェア接続を用いない、屋上への太陽電池モジュール取り付けシステムを開発した。
【０００５】
本発明の一態様では、屋上の太陽電池モジュール取り付けシステムは、安定脚(ballasted footer)及び、太陽電池モジュール取り付けフレームワークを含むことができる。安定脚は、第１の端部及び第２の端部を有する矩形のベース、矩形のベースの第１の端部に隣接した第１の取り付け支柱と、矩形のベースの第２の端部に隣接した第２の取り付け支柱とを含むことができる。太陽電池モジュールを取り付けるフレームワークは、２つ以上のレールを有することができる。各レールは、安定脚の第１又は第２の取り付け支柱に取り付けられ、且つ、ハードウェア・コネクタを収容するように構成することができる。屋上の太陽電池モジュール取り付けシステムは、安定脚に隣接した導風板をさらに有することができる。
【０００６】
導風板は、湾曲したパネル又は円弧状のパネルを備えることができる。導風板の円弧状のパネルは、約４インチ〜約１０インチの半径を有することができる。導風板は、アルミニウム又は鋼を含むことができる。導風板は、トタン板でつくることができる。安定脚は、コンクリートを含むことができる。安定脚は、フェルール・ループ挿入物を備えることができる。フェルール・ループ挿入物は、電気的にワイヤボンドすることができる。太陽電池モジュール取り付けフレームワークのレールは、矩形のトッププレート、第１の側壁、第２の側壁、第１のベースプレート、及び第２のベースプレートを有することができる。矩形のトッププレートは、頂面、底面、第１の端部、第２の端部、第１の側縁部、及び第２の側縁部を有することができる。第１の側壁は、トッププレートの第１の側縁部からトッププレートに垂直に延在することができる。第１の側壁は、トッププレートの底面から離間した第１の終端縁を有することができる。第２の側壁は、トッププレートの第２の側縁部からトッププレートに垂直に延在することができる。第２の側壁は、トッププレートの底面から離間した第２の終端縁を有することができる。第１のベースプレートは、第１の側壁の第１の終端縁から第１の側壁に垂直に延在することができる。第２のベースプレートは、第２の側壁の第２の終端縁から第２の側壁に垂直に延在することができる。レールは、亜鉛めっき鋼でつくることができる。
【０００７】
別の態様においては、屋上の太陽電池アレイは、安定脚、２つ以上のレールを有する太陽電池モジュール取り付けフレームワーク、導風板、各々のレールに取り付けた太陽電池モジュール取り付けブラケット、及び太陽電池モジュール取り付けブラケットによって太陽電池モジュール取り付けフレームワークに取り付けた太陽電池モジュールを有することができる。安定脚は、第１の端部及び第２の端部を有する矩形ベース、矩形ベースの第１の端部に隣接した第１の取り付け支柱、及び矩形ベースの第２の端部に隣接した第２の取り付け支柱を有することができる。
【０００８】
太陽電池モジュール取り付けフレームワークの各々のレールは、安定脚の第１又は第２の取り付け支柱に取り付けられ、且つ、ハードウェア・コネクタを収容するように構成することができる。導風板は、湾曲したパネル又は円弧状のパネルを有することができる。導風板の円弧状のパネルは、約４インチ〜約１０インチの半径を有することができる。導風板は、アルミニウム又は鋼を含むことができる。導風板は、トタン板でつくることができる。安定脚は、コンクリートを含むことができる。安定脚は、フェルール・ループ挿入物を備えることができる。
【０００９】
フェルール・ループ挿入物は、電気的にワイヤボンドすることができる。太陽電池モジュール取り付けフレームワークのレールは、矩形のトッププレート、第１の側壁、第２の側壁、第１のベースプレート、及び第２のベースプレートを有することができる。矩形のトッププレートは、頂面、底面、第１の端部、第２の端部、第１の側縁部、及び第２の側縁部を有することができる。第１の側壁は、トッププレートの第１の側縁部からトッププレートに垂直に延在することができる。第１の側壁は、トッププレートの底面から離間した第１の終端縁を有することができる。第２の側壁は、トッププレートの第２の側縁部からトッププレートに垂直に延在することができる。第２の側壁は、トッププレートの底面から離間した第２の終端縁を有することができる。第１のベースプレートは、第１の側壁の第１の終端縁から第１の側壁に垂直に延在することができる。第２のベースプレートは、第２の側壁の第２の終端縁から第２の側壁に垂直に延在することができる。レールは、亜鉛めっき鋼でつくることができる。
【００１０】
他の態様では、太陽電池アレイの据え付け方法は、屋上に、第１の端部及び第２の端部を有するベースと、前記ベースの第１の端部に隣接した第１の取り付け支柱と、前記ベースの第２の端部に隣接した第２の取り付け支柱とを有している安定脚を配置するステップと、各レールが前記安定脚の第１又は第２の取り付け支柱に取り付けられ、且つ、太陽電池モジュールを取り付けるように構成される、２つ以上のレールを前記安定脚に隣接して配置するステップと、導風板を前記安定脚に隣接して配置するステップと、２つ以上の太陽電池モジュール・クリップで、２つ以上の太陽電池モジュールを一緒に取り付けるステップと、１つ以上の太陽電池モジュール取り付けブラケットを用いて、前記太陽電池モジュールを前記レールに取り付けるステップと、前記モジュールと前記安定脚との間に、導管を配置するステップと、を含むことができる。
【００１１】
導風板は、湾曲したパネル又は円弧状のパネルを有することができる。導風板の円弧状のパネルは、約４インチ〜約１０インチの半径を有することができる。導風板は、アルミニウム又は鋼を含むことができる。導風板は、トタン板でつくることができる。安定脚は、コンクリートを含むことができる。安定脚は、フェルール・ループ挿入物を備えることができる。フェルール・ループ挿入物は、電気的にワイヤボンドすることができる。太陽電池モジュール取り付けフレームワークのレールは、矩形のトッププレート、第１の側壁、第２の側壁、第１のベースプレート、及び第２のベースプレートを有することができる。矩形のトッププレートは、頂面、底面、第１の端部、第２の端部、第１の側縁部、及び第２の側縁部を有することができる。第１の側壁は、トッププレートの第１の側縁部からトッププレートに垂直に延在することができる。第１の側壁は、トッププレートの底面から離間した第１の終端縁を有することができる。第２の側壁は、トッププレートの第２の側縁部からトッププレートに垂直に延在することができる。第２の側壁は、トッププレートの底面から離間した第２の終端縁を有することができる。第１のベースプレートは、第１の側壁の第１の終端縁から第１の側壁に垂直に延在することができる。第２のベースプレートは、第２の側壁の第２の終端縁から第２の側壁に垂直に延在することができる。レールは、亜鉛めっき鋼でつくることができる。
【００１２】
別の態様においては、太陽電池アレイを据え付ける方法は、屋上に、複数の安定脚を互い違いに配置するステップ（各安定脚は、第１の端部及び第２の端部を有するベース、前記ベースの第１の端部に隣接した第１の取り付け支柱、及び前記ベースの第２の端部に隣接した第２の取り付け支柱を有する）と、複数のレールを前記安定脚に隣接して配置するステップ（各レールは前記安定脚の第１又は第２の取り付け支柱に取り付けられ、且つ、ハードウェア・コネクタを収容するように構成される）と、複数の導風板を前記安定脚に隣接して配置するステップ（各導風板は、２つの隣接していない安定脚に取り付ける）と、２つ以上の太陽電池モジュール・クリップで、２つ以上の太陽電池モジュールを一緒に取り付けるステップと、１つ以上の太陽電池モジュール取り付けブラケットを用いて、前記太陽電池モジュールを前記レールに取り付けるステップと、前記モジュールと前記安定脚との間に、複数の導管を配置するステップと、を含むことができる。安定脚は、コンクリートを含むことができる。導風板の円弧状のパネルは、約４インチ〜約１０インチの半径を有することができる。
【図面の簡単な説明】
【００１３】
【図１】取り付けた複数の太陽電池モジュールを有する、屋上の太陽電池モジュール取り付けシステムの一実施形態を示す斜視図である。
【図２】取り付けた複数の太陽電池モジュールを有する、屋上の太陽電池モジュール取り付けシステムの一実施形態を示す平面図である。
【図３】屋上の太陽電池モジュール取り付けシステムの安定脚の一実施形態を示す上面図である。
【図３Ａ】図３のＡ−Ａ線に沿った断面図である。
【図３Ｂ】図３のＢ−Ｂ線に沿った断面図である。
【図４】屋上の太陽電池モジュール取り付けシステムの追加ブロックの一実施形態を示す側面図である。
【図４Ａ】屋上の太陽電池モジュール取り付けシステムの追加ブロックの一実施形態を示す下面図である。
【図５】屋上の太陽電池モジュール取り付けシステムのレールの一実施形態を示す平面図である。
【図５Ａ】図５のＣ−Ｃ線に沿った断面図である。
【図６】屋上の太陽電池モジュール取り付けシステムの一部を示す側面図である。
【図７】屋上の太陽電池モジュール取り付けシステムの一部を示す側面図である。
【図８】太陽電池モジュール取り付けシステムの導風板の一実施形態を示す斜視図である。
【図９】図８の屋上の太陽電池モジュール取り付けシステムの導風板の上面図である。
【図９Ａ】図９のＤ−Ｄ線に沿った断面図である。
【図９Ｂ】図９のＥ−Ｅ線に沿った断面図である。
【図１０】取り付けた太陽電池モジュールを有する、屋上の太陽電池モジュール取り付けシステムの一実施形態を示す部分断面図である。
【図１１】取り付けた複数の導管を有する、屋上の太陽電池モジュール取り付けシステムの他の実施形態を示す斜視図である。
【図１２】取り付けた複数の太陽電池モジュール及び導管を有する屋上の太陽電池モジュール取り付けシステムの一実施形態を示す斜視図である。
【発明を実施するための形態】
【００１４】
図１は、例えば屋上のような表面上に取り付けることができる太陽電池モジュール取り付けシステム１００を示している。取り付けシステム１００は、支持を提供し、安定性を高めるために、取り付けシステム１００を保持する屋上に配置され、且つ、太陽電池モジュール４が取り付けられる、安定脚１を有する。安定脚１は、矩形のベース、及びベースの各端部に１つの取り付け支柱、計２つの取り付け支柱を有することができる。安定脚１は、屋上のある領域に配置して、取り付けシステム１００の領域を画定することができる。例えば、安定脚１は、行及び列のパターンに配置することができる。図１は、９つの太陽電池モジュール４の２行に対する部分的な取り付けフレームワーク５を形成する、３列５行の安定脚１を有する取り付けシステム１００の一部を示す。
【００１５】
図１に示すように、第１の列は、導風板６の端部に整列され、端と端を揃えた３つの安定脚１を有する。第１の列の安定脚１は、単一の安定脚１の２つの取り付け支柱間の距離に等しい距離だけ離間させることができる。導風板６に隣接した第１の列の安定脚１は、導風板６の取り付け点が取り付けられる第１の取り付け支柱及びレール２が取り付けられる第２の取り付け支柱を有する。図１に示す第１の列の真ん中の安定脚１は、各々が別のレール２が取り付けられる、２つの取り付け支柱を有する。図１に示す第１の列の安定脚１は、導風板６に最も近くて、レール２が取り付けられる第１の取り付け支柱、及び、他のレール２又は他の導風板６に取り付けられない、あるいは取り付けられる、第２の取り付け支柱（図示せず）を有する。
【００１６】
図１に示す取り付けシステム１００は、２つの安定脚１を有する第２の列を有する。導風板６に近い方の第２の列の安定脚１は、２つの取り付け支柱を有する。その第１の取り付け支柱（導風板６に近い方）は、導風板６に隣接する第１の列の安定脚１に取り付けられるレール２に接続することができる。第２の取り付け支柱は、第１の列の真ん中の安定脚１取り付けられるレール２（導風板６に近い方の取り付け支柱に接続されるレール）に接続することができる。導風板６から遠い方の第２の列の安定脚１は、２つの取り付け支柱を有し、第１の取り付け支柱（導風板６に近い方）は、第１の列の真ん中の安定脚１に取り付けられるレール２（導風板６から遠い方の取り付け支柱に接続されるレール）に接続することができる。第２の取り付け支柱は、導風板６から最も遠い第１の列の安定脚１に取り付けられるレール２（導風板６に近い方の取り付け支柱に接続されるレール）に接続することができる。このように、第２の列の安定脚１は、第１の列の安定脚１に対して互い違いに配置することができる。（図２は、安定脚１の交互の列の互い違いの配置を明らかにする、モジュール４なしの取り付けシステム１００を示す。）
【００１７】
図１に示す取り付けシステム１００は、３つの安定脚１を有する第３の列を有する。第３の列の３つの安定脚１は、第３の列の取り付け支柱が第１の列の取り付け支柱と整列するように配置する。例えば、導風板６に隣接する第３の列の安定脚１は、導風板６の取り付け点が取り付けられる取り付け支柱を有する。導風板６に隣接する第３の列の安定脚１の第２の取り付け支柱に取り付けられるレール２は、導風板６に隣接する第１の列の安定脚１に取り付けられる。
【００１８】
安定脚１は、コンクリートでつくることができ、安定脚１を所望の形状にするのにプレキャストすることができる。安定脚１は、例えば、アルミニウムのような金属でつくることができる。安定脚１は、鋳造、鍛造、成形、スタンピング、又はカービングを含む任意の適切な方法で形成することができる。太陽電池モジュール取り付けフレームワーク５を形成するレール２は、安定脚１の取り付け支柱に含まれるフェルール・ループ挿入物に取り付けることや、例えば、安定脚１を形成するためのコンクリートの鋳型に設けたねじ棒といった、安定脚１に接続する棒のようなハードウェア・コネクタに取り付けることを含む、任意の適切な手段によって安定脚１に取り付けられるように構成することができる。レール２は、太陽電池モジュール４をアレイに配置して、固定させるように構成することができる。レール２は、任意の適切なハードウェア・コネクタ（例えば、ネジ、釘、リベット、溶接、接着剤、又は鑞付接合）を有することができる。太陽電池モジュール４は、取り付けブラケット７及び取り付けスペーサ３を有する太陽電池モジュール取り付けフレームワーク５に取り付けることができる。取り付けブラケット７は、レール２が安定脚１の取り付け支柱に取り付けられる箇所に、モジュール４の端部の一部を固定する。取り付けブラケット７は、（図１の第１の列の安定脚１のように）単一モジュール４の一部を固定することができ、あるいは、（図１の第２の列の安定脚１のように）２つのモジュール４の各々の一部を固定することができる。取り付けスペーサ３は、安定脚１の取り付け支柱に隣接しないレール２上の位置にモジュール４の端部の一部を固定する。
【００１９】
列と行に配置する安定脚１（例えば、図１に示す３列５行のような安定脚１）は、列の半ばの安定脚１の各々が、２行のモジュール４を支持するレール２に取り付けられ、交互の列の安定脚１の各々が、単一行のモジュール４を支持するレール２に取り付けられる、互い違いの配置を形成することができる。図１に示すように、第１の列の安定脚１の取り付け支柱は、２行のモジュールの下に配置され、第２の列の安定脚１の取り付け支柱は、１行のモジュールの下に配置される。安定脚１の追加の列及び行を、図１に示す構成に加えて、例えば屋上のような表面の領域を覆うことができる。
【００２０】
図２を参照するに、これは、取り付けシステム１００の上面図を示している。図２は、安定脚１の互い違いの配置を示す。安定脚１は、異なる大きさ及び形状とすることができ、異なる材料でつくることができる。例えば、取り付けシステム１００の周辺近くに位置する安定脚１は、コンクリートでつくることができ、取り付けシステム１００の内部における安定脚１は、例えばアルミニウムのような金属でつくることができる。安定脚１は、取り付けフレームワーク５を形成するレール２を支持することができる。モジュール４は、取り付けフレームワーク５に取り付けられる。モジュールは、取り付けブラケット７及び取り付けスペーサ３によって、取り付けフレームワーク５に、及び／又は互いに接続することができる。
【００２１】
図２に示すように、取り付けシステム１００は、安定脚１と屋上の表面との間に配置する屋根保護パッド４０を含むことができる。屋根保護パッド４０は、金属、プラスチック、繊維、又は石造物を含む、任意の適切な材料を含むことができる。屋根保護パッド４０は、耐候性で、安定脚１に取り付けられるように構成することができる。
【００２２】
図２を参照するに、取り付けシステム１００は、安定ユニット５０を含むことができる。安定ユニット５０は、取り付けシステム１００に隣接して配置して、追加の安定性を提供することができる。例えば、安定ユニット５０は、安定脚１の取り付け支柱間に配置することができる。安定ユニット５０は、コンクリート、又は、アルミニウムのような金属を含む、任意の適切な材料でつくることができる。安定ユニット５０は、鋳造、鍛造、成形、スタンピング、又はカービングを含む、任意の適切な方法によって形成することができる。安定ユニット５０は、取り付けシステム１００に接続することができる。例えば、安定ユニット５０は、安定脚１に接続することができる。
【００２３】
図３を参照するに、これは、安定脚１の上面図を示している。安定脚１は、矩形形状のベースを有することができる。安定脚１は、この安定脚１が組み込まれる太陽電池モジュール取り付けシステム１００（図１）に、安定化効果をもたらすことができる。この安定化効果は、安定脚１自体の質量か、あるいは、例えば安定ユニット５０（図２）のような他のユニットの安定化によってもたらすことができる。安定脚１は、コンクリートでつくることができ、安定脚１を所望の形状にするのにプレキャストすることができる。図３Ａを参照するに、これは、図３のＡ−Ａ線に沿った断面図を示している。図３Ａに示す安定脚１は、矩形のベース１２を有する。安定脚１は、矩形のベース１２の反対側の端部に形成した第１及び第２の取り付け支柱１３を有する。図３Ａ及びＢ−Ｂ線に沿った断面を示す図３Ｂを参照するに、取り付け支柱１３は、フェルール・ループ挿入物１１を含むことができる。フェルール・ループ挿入物１１は、電気的にワイヤボンドすることができる。取り付け支柱１３は、取り付け支柱１３の一部から延在する金属棒を含む、他の取付けハードウェアを含むことができる。金属棒の一部は、螺刻して、取り付け支柱１３に設けるか、あるいは、被動螺着、あるいは、それ以外の手段により取り付け支柱１３に挿入することができる。
【００２４】
図４を参照するに、これは、追加ブロック７０の側面図を示している。追加ブロック７０は、図２の安定ユニット５０と同様に、安定ユニットとして用いて、安定脚１に追加の安定性をもたらすことができる。追加ブロック７０は、頂面７１及び、頂面７１の反対側の凹部７２を含むことができる。凹部７２は、凹部７２の底面７３及び位置決め支柱７５によって画定することができる。図４Ａは、追加ブロック７０の下面図であり、凹部７２が底面７３及び位置決め支柱７５によって画定されることを示している。位置決め支柱７５は、安定脚１に隣接する追加ブロック７０が安定性をもたらすのを助けることができる。例えば、追加ブロック７０は、安定脚１の取り付け支柱間に配置することができる。追加ブロック７０は、コンクリート又は例えばアルミニウムのような金属を含む、任意の適切な材料でつくることができる。追加ブロック７０は、鋳造、鍛造、成形、スタンピング、又はカービングを含む、任意の適切な方法によって形成することができる。追加ブロック７０は、取り付けシステム１００に接続することができる。例えば、追加ブロック７０は、安定脚１に接続することができる。
【００２５】
図５を参照するに、これは、レール２の上面図を示している。レール２は、第１の端部２２３、第２の端部２２４、第１の側縁部２２５、第２の側縁部２２６を有する矩形のトッププレート２２、第１のベースプレート２４、及び第２のベースプレート２５を有する。レール２は、安定脚の取り付け支柱にレール２を接続するか、あるいは、２つのレール２を互いに接続するのに用いるハードウェア・コネクタ（例えば、ネジ、釘、リベット、溶接、接着剤、又は、鑞付接合）を収容できる開口部２１も含むことができる。開口部２１は、モジュール４をレール２に取り付けるのに設けることもできる。図５Ａを参照するに、これは、レール２の端面図を示している。第１の側壁２３は、頂面２２１の第１の側縁部２２５から垂直に下方に延在し、第１の端縁部２３１で終端する。第２の側壁２６は、第２の側縁部２２６から垂直に下方に延在し、第２の端縁部２６１で終端する。第１のベースプレート２４は、第１の側壁２３の第１の端縁部２３１から、第１の側壁２３に対して垂直に延在する。第２のベースプレート２５は、第２の側壁２６の第２の端縁部２６１から、第２の側壁２６に対して垂直に延在する。結果として、シルクハット形状の断面となる。レール２は、例えば、亜鉛めっき鋼のような金属を含む、任意の適切な材料で形成することができる。
【００２６】
図６を参照するに、安定脚１は、順に、屋根保護パッド４０に隣接して配置し、屋根８００に配置することができる。レール２の端部は、安定脚１の取り付け支柱に隣接して配置することができる。レール２は、ハードウェア・コネクタ２１０（例えば、ネジ、釘、リベット、溶接、接着剤、又は鑞付接合）で安定脚１に接続することができる。図６に示すように、モジュール４は、レール２に隣接して配置することができる。モジュール４は、端部封入部材４４を有することができる。モジュール４の一部（例えば、端部封入部材４４を含む部分）は、レール２の表面と、モジュール４を位置付けするように構成された取り付けブラケット７の表面との間に配置することができる。取り付けブラケット７は、ハードウェア・コネクタ４７（例えば、ねじ、釘、リベット、溶接、接着剤、又は鑞付接合）でレール２に接続することができる。
【００２７】
図７を参照するに、安定脚１は、順に、屋根保護パッド４０に隣接して配置し、屋根８００に配置することができる。レール２の各々の端部は、安定脚１の取り付け支柱に隣接して、互いに隣接して配置される。レール２は互いに接続することができ、レール２の一方又は双方を取り付け支柱に接続することができる。レール２は、ハードウェア・コネクタ２２０（例えば、ネジ、釘、リベット、溶接、接着剤、又は鑞付接合）で接続することができる。ハードウェア・コネクタ２２０は、レール２の端部を互いに固定するか、あるいは、取り付け支柱に固定することができる。第１のレール２は、第１のレールの端部を第２のレールの端部に嵌入することによって、第２のレール２に接続することができる。１つ以上の端部は、一方の端部を他方の端部に嵌め込めるように形成するか、又は再形成することができる。例えば、一方又は双方の端部は、嵌入前にスエージ加工することができる。ハードウェア・コネクタ２２０の一部は、各レール２の一部、及び／又は取り付け支柱を越えて延在させることができる。例えば、ボルトを２つの各レールの一方の端部の穴に通すことができ、穴は、第１の端部を、第２の端部に挿入した後に整列させる。この場合、ボルトは、レールから取り付け支柱に通すことができる。追加のハードウェア・コネクタ２２２は、レール２及び／又は取り付け支柱を接続する追加の位置に設けることができる。
【００２８】
図８を参照するに、導風板は、導風板パネル６０を有することができる。図９は、導風板６の上面図である。図９Ａは、Ｄ−Ｄ線に沿った導風板６の端面図である。導風板６は、外部表面６１と内部表面６４とを有することができる。導風板６は、内部表面６４に取り付けられる支持構造物６３をさらに有することができる。支持構造物６３は、ハードウェア・コネクタ（例えば、ネジ、釘、リベット、溶接、接着剤、又は鑞付接合）を収容するように構成される開口部６２を有することができる。図９Ｂは、Ｅ−Ｅ線に沿った導風板６の断面図である。導風板パネル６０は、湾曲したパネル、円弧状のパネル、又は他の空気力学的形状のパネルとすることができる。導風板６は、例えば、アルミニウム又は鋼のような金属を含む、任意の適切な材料とすることができる。導風板６は、トタン板でつくることができる。円弧状の導風板パネル６０は、約４インチ〜約１０インチ、約４．５インチ又は約７．５インチの半径を有することができる。
【００２９】
図１０を参照するに、取り付けた太陽電池モジュール４を備える、屋上への太陽電池モジュール取り付けシステム１００は、安定脚１、レール２、及び導風板６を含むことができる。導風板６は、ハードウェア・コネクタ６５（例えば、ネジ、釘、リベット、溶接、接着剤、又は鑞付接合）によって、安定脚１に取り付けることができる。図１０に示すように、導風板６は、安定脚１、レール２、及び導風板６の周りに風又は空気流を向けて、安定な構造にすることができる。また、構造を安定にする導風板６の助けにより、安定脚１を、より軽量につくることができるので、より効率的な設計、及びより簡単な据え付けを達成することができる。
【００３０】
図１１を参照するに、屋上の太陽電池モジュール取り付けシステム２００は、１つ以上の安定脚１及び太陽電池モジュール取り付けフレームワーク５を有することができる。安定脚１は、導風板６（図示せず）に取り付けるために、互い違いの方法で配置することができる。太陽電池モジュール取り付けフレームワーク５は、２つ以上のレール２を有することができる。各々のレールは、安定脚１の第１又は第２の取り付け支柱に取り付けることができ、ハードウェア・コネクタ（例えばネジ、釘、リベット、溶接、接着剤、又は鑞付接合）を収容するように構成することができる。太陽電池取り付けフレームワーク５は、レール２に取り付けられる２つ以上の取り付けブラケット７を有することができる。屋上への太陽電池モジュール取り付けシステム２００は、安定脚１に取り付ける１つ以上の導管９（５つ未満の導管は図示せず）を有することができる。導管９は、ワイヤを入れるための管又はダクトとすることができる。導管９は、電気配線の保護及びルーティングに用いる、目的に応じて設計される電気配管システムとすることができる。
【００３１】
図１２を参照するに、取り付けた太陽電池モジュール４を備える屋上への太陽電池モジュール取り付けシステムは、１つ以上の安定脚１及び太陽電池モジュール取り付けフレームワーク５を有することができる。太陽電池取り付けフレームワーク５は、２つ以上のレール２を有することができる。各々のレールは、安定脚１の第１又は第２の取り付け支柱に取り付けることができ、ハードウェア・コネクタ（例えば、ネジ、釘、リベット、溶接、接着剤、又は鑞付接合）を収容するように構成することができる。屋上の太陽電池モジュール取り付けシステム２００は、安定脚１に取り付ける１つ以上の導管９を有することができる。太陽電池モジュール４は、太陽電池モジュール・クリップ３によって一緒に取り付けることができる。
【００３２】
本発明の多くの実施形態を記載した。それにも関わらず、さまざまな変更例を本発明の精神と範囲から逸脱することなく、なし得ることができると理解されよう。また、添付の図面は必ずしも実際の縮尺通りではなく、本発明の基本的原則を例示する様々な好ましい特徴のいくつかを簡略化して示していることを理解すべきである。
【図１】
0005540024.tif 000002
【図２】
0005540024.tif 000003
【図３】
0005540024.tif 000004
【図３Ａ】
0005540024.tif 000005
【図３Ｂ】
0005540024.tif 000006
【図４】
0005540024.tif 000007
【図４Ａ】
0005540024.tif 000008
【図５】
0005540024.tif 000009
【図５Ａ】
0005540024.tif 000010
【図６】
0005540024.tif 000011
【図７】
0005540024.tif 000012
【図８】
0005540024.tif 000013
【図９】
0005540024.tif 000014
【図９Ａ】
0005540024.tif 000015
【図９Ｂ】
0005540024.tif 000016
【図１０】
0005540024.tif 000017
【図１１】
0005540024.tif 000018
【図１２】
0005540024.tif 000019